(57)【要約】【課題】不必要時に延長用の棚板を収納する為のスペースも小さくて済み、部品管理も容易で、高い自由度で棚板のレイアウト変更を行う。【解決手段】棚板３０に、前後方向に間隔を空けて複数の第一係止孔５０，５０，５０が形成され、延長棚板４０の後端部に設けられた差し込み片７０を、これら第一係止孔５０，５０，５０から選択した任意の一つに挿入することにより、棚板３０を延長棚板４０によって前方に延長する。これにより、延長棚板４０による棚板３０の前方への延長寸法を複数段階に設定する。【選択図】図３
2013244375.tif 000002
【特許請求の範囲】
【請求項１】
物品陳列棚の支柱に支持される棚板と、
前記棚板に着脱自在で、前記棚板に取り付けたときに前記棚板の前端部よりも前方に張り出す延長棚板と、を備え、
前記棚板は、前後方向に予め定められた間隔を空けて複数の係止孔を備え、
前記延長棚板は、前記係止孔に係止される被係止部材を備え、
前記複数の係止孔のうち何れか一つの前記係止孔に、前記被係止部材が選択的に係止されることを特徴とする棚板システム。
【請求項２】
前記棚板は、前記係止孔よりも前方に、前後方向に予め定めた間隔を空けて複数の挿入孔を備え、
前記延長棚板は、
前記延長棚板の後端部に前記被係止部材を備えるとともに、
前記被係止部材よりも前方に設けられて前記棚板の上面に突き当たる突き当たり部と、
前記被係止部材が前記係止孔の一つに係止された状態で、前記挿入孔に挿入される挿入片とを備えることを特徴とする請求項１に記載の棚板システム。
【請求項３】
前記挿入孔および前記挿入片は、前記延長棚板が前記棚板から離間する上方向への移動を拘束する拘束部を備えることを特徴とする請求項２に記載の棚板システム。
【発明の詳細な説明】
【技術分野】
【０００１】
本発明は、物品陳列棚、物品収納棚等に用いられる棚板システムに関する。
【背景技術】
【０００２】
店舗において商品等の物品を展示するための物品陳列棚は、その設置や移動、ディスプレイ方法の変更等を容易に行えるよう、支柱、脚、棚板等からなる組立式のものが多用されている。
このような物品陳列棚においては、床面上に設置されるベース脚上に、上方に延びる支柱が立設され、この支柱に支持されて、一段以上の棚板が設けられている。
【０００３】
物品展示スペースの拡大や、特定の段の棚板だけを目立たせるために、棚板を前方に突出させ、物品陳列面の前後方向の寸法（奥行き寸法）を増大させることがある。
これには、棚板を、通常の棚板よりも前後方向の寸法の大きなものに交換することが考えられる。
【０００４】
また、特許文献１には、棚板に、スライド式の棚板を収納しておき、必要時に棚板からスライド棚を引き出すことによって、物品陳列面部の前後方向の寸法を増大させる構成が開示されている。
【０００５】
特許文献２、３には、棚板の先端部に延長用の棚板を取り付けることによって、棚板を前方に突出させて物品陳列面の前後方向の寸法を増大させる手法も提案されている。
【先行技術文献】
【特許文献】
【０００６】
【特許文献１】特開２００９−１１２６７０号公報
【特許文献２】実用新案登録第３０８３１９５号公報
【特許文献３】特開２００９−１５３７０４号公報
【発明の概要】
【発明が解決しようとする課題】
【０００７】
しかしながら、棚板自体を前後方向の寸法の大きなものに交換する手法においては、交換用の棚板、および棚板を支柱に取り付けるためのブラケットを予め用意しておく必要があり、不必要時にそれらを収納しておくスペースが必要であったり、それらの部品管理に手間がかかる。さらに、棚板の前後方向の寸法を複数段階に大きくできるようにするには、それぞれの前後方向の寸法にあわせた棚板やブラケットが必要であり、この問題は一層顕著なものとなる。
【０００８】
これに対し、特許文献１に記載の構成によれば、スライド式の棚板を用いることによって、上記のような問題は回避できる。
しかし、必要時にはスライド式の棚板を引き出して用いることができるよう、全ての棚板にスライド式の棚板を備えておく必要がある。このため、コストがかかるとともに、棚板の重量が大きくなり、組立時等に取り扱いがしにくくなるという問題がある。
【０００９】
特許文献２，３に記載によれば、延長用の棚板を棚板の先端部に係止させるのみでよいため、不必要時には、この延長用の棚板のみを収納すれば良く、必要スペースも小さく、部品管理の手間も少なくて済む。延長時にも、延長用の棚板のみを取り扱えば良いため、重量も軽く、容易に取り扱うことが可能となっている。
しかしながら、このような構成においては、棚板の延長寸法は延長用の棚板によって決まり、その延長寸法をユーザ側で選択することができず、棚板のレイアウト変更の自由度が制限される。これに対し、前後方向の寸法を複数段階に大きくできるよう、それぞれの前後方向の寸法にあわせた延長用の棚板やブラケットを用意したのでは、不必要時にそれらを収納しておくスペースが必要であったり、それらの部品管理に手間がかかる。
そこでなされた本発明の目的は、不必要時に延長用の棚板を収納する為のスペースも小さくて済み、部品管理も容易で、高い自由度で棚板のレイアウト変更を行うことのできる棚板システムを提供することである。
【課題を解決するための手段】
【００１０】
本発明は、上記課題を解決するため、以下の手段を採用する。
すなわち、本発明は、物品陳列棚の支柱に支持される棚板と、棚板に着脱自在で、棚板に取り付けたときに棚板の前端部よりも前方に張り出す延長棚板と、を備え、棚板は、前後方向に予め定められた間隔を空けて複数の係止孔を備え、延長棚板は、係止孔に係止される被係止部材を備え、複数の係止孔のうち何れか一つの係止孔に、被係止部材が選択的に係止されることを特徴とする。
このようにして、被係止部材を係止させる係止孔を複数の中から選択することによって、棚板に延長棚板を取り付けたときの、棚板と延長棚板とからなる棚の前後方向の長さが複数段階に変更可能なため、一種類の延長棚板で、棚の前後方向の長さを複数段階に変更できる。
【００１１】
本発明においては、棚板は、係止孔よりも前方に、前後方向に予め定めた間隔を空けて複数の挿入孔を備え、延長棚板は、延長棚板の後端部に被係止部材を備えるとともに、被係止部材よりも前方に設けられて棚板の上面に突き当たる突き当たり部と、被係止部材が係止孔の一つに係止された状態で、挿入孔に挿入される挿入片とを備えることもできる。
このような構成では、延長棚板は、突き当たり部が棚板の上面に突き当たる突き当たり部によって安定的に支持される。
また、挿入孔に挿入片が挿入されることで、棚板に対する延長棚板の前後方向への移動を規制できる。
【００１２】
さらに、これら挿入孔および挿入片は、延長棚板が棚板から離間する上方向への移動を拘束する拘束部を備える構成とすることもできる。
これによって、延長棚板は、後端部においては被係止部材が係止孔に係止され、その前方では拘束部により上方への移動が拘束されているため、棚板に確実に固定できる。
【発明の効果】
【００１３】
本発明によれば、一種類の延長棚板で、棚の前後方向の長さを複数段階に変更できるので、高い自由度で棚板のレイアウト変更を行うことが可能となるのに加え、不必要時に延長棚板を収納する為のスペースも小さくて済み、部品管理も容易に行える。
【図面の簡単な説明】
【００１４】
【図１】本発明に係る棚板システムを適用する物品陳列棚を示す斜視図である。
【図２】図１の物品陳列棚にベース棚と延長棚板を取り付けた状態を示す側面図である。
【図３】ベース棚に延長棚板を取り付ける構成を示す斜視図である。
【図４】ベース棚に延長棚板を取り付けた状態を示す側面図である。
【図５】ベース棚の平面図である。
【図６】ベース棚の側断面図である。
【図７】延長棚板の平面図である。
【図８】（ａ）は延長棚板の側面図、（ｂ）は延長棚板の補強材を示す側面図、（ｃ）は跳ね上がり防止金具を示す側断面図、（ｄ）は跳ね上がり防止金具を後方から見た図である。
【図９】ベース棚に延長棚板を取り付けるときの流れを示す図である。
【発明を実施するための形態】
【００１５】
以下、添付図面を参照して、本発明による棚板システムを実施するための最良の形態を説明する。しかし、本発明はこれらの実施例のみに限定されるものではない。
図１、図２に示すように、物品陳列棚１０は、床面に沿って延び、床面上に間隔を空けて互いに平行に設置される二本一対のベース脚１１，１１と、各ベース脚１１上に設けられて上方に延び、棚板が装着可能とされた二本一対の支柱１２，１２と、互いに隣接する二本の支柱１２，１２の上端部から下端部にかけて、これらを互いに連結する背面板１３と、互いに隣接する二本のベース脚１１，１１の間に設けられたベース棚１４と、を備えている。さらに、ベース脚１１，１１の先端部１１ｓ，１１ｓ間には、キックプレート１７を架け渡たすこともできる。
なお、以下の説明において、ベース脚１１が延びる方向を前後方向、二本一対のベース脚１１，１１が隣り合う方向を幅方向と称する。
【００１６】
ベース脚１１は、床面に沿って物品陳列棚１０の前後方向に延びる断面矩形の中空筒状で、その下面に床面に接地するパッド１５を備えている。
【００１７】
支柱１２は、断面矩形の中空筒状で、その前面１２ｆに、棚板等を係止するため、長手方向に所定の間隔をあけて略矩形状の係止孔１６が複数貫通形成されている。ここで、係止孔１６は、支柱の前面１２ｆの幅方向に２列に形成されている。これは、支柱１２の幅方向両側に棚板等のオプション部材が係止できるようにするためである。
また、支柱１２は、その側面１２ａに、背面板１３等を係止するため、係止孔１８Ａ、１８Ｂが形成されている。
【００１８】
このような物品陳列棚１０においては、互いに隣接する支柱１２，１２の間に、上下に一段以上の棚板３０を設置できるようになっている。
図３、図４に示すように、棚板３０は、プレート状の棚板本体３１と、棚板本体３１を支柱１２に係止させるためのサポートブラケット３２と、を備える。
【００１９】
図５、図６に示すように、棚板本体３１は、金属板を折り曲げ加工して形成したもので、平面視矩形でその上面が物品載置面とされる上部プレート３１ａと、上部プレート３１ａの周囲四方から垂下して設けられた補強枠部３１ｂと、を有している。そして、棚板本体３１は、上部プレート３１ａの下面に、断面略Ｕ字状の補強材３１ｃが溶接等の接合手段によって取り付けられている。
【００２０】
図４に示すように、サポートブラケット３２は、棚板本体３１の上部プレート３１ａの下面に沿うよう取り付けられたサポート部３２ａと、サポート部３２ａの一端から鉛直下方に延びるベース部３２ｂと、を備えた略Ｌ字状をなしている。
ベース部３２ｂには、後方に突出する複数の下向きの係止フック３３が形成されている。
【００２１】
このような棚板３０は、サポートブラケット３２の係止フック３３を、両側の支柱１２，１２の前面１２ｆ，１２ｆにそれぞれ形成された係止孔１６，１６に挿入して係止させることによって、支柱１２，１２に取り付けられる。
【００２２】
さて、図２、図３に示すように、このような棚板３０には、延長棚板４０が着脱自在に装着できるようになっている。延長棚板４０は、棚板３０に取り付けたときに、棚板３０の前端部よりも前方に張り出すよう設けられ、これによって延長棚板４０と棚板３０とからなる棚の物品載置面の前後方向の寸法を増大させる。
【００２３】
このため、図５に示すように、棚板３０の上部プレート３１ａには、その前後方向に一定間隔を空けて複数個（本実施形態では３個）の第一係止孔（係止孔）５０が、上部プレート３１ａの幅方向に複数列（本実施形態では５列）に形成されている。各列間で、最後部の第一係止孔５０ａ、中間部の第一係止孔５０ｂ、最前部の第一係止孔５０ｃは、それぞれ前後方向の位置が、各列間で同一位置とされている。ここで、各第一係止孔５０は、平面視円形とされている。なお、以下の説明において、第一係止孔５０ａ、５０ｂ、５０ｃを互いに区別する場合を除き、これらを単に第一係止孔５０と称することがある。
【００２４】
また、上部プレート３１ａには、複数の第一係止孔５０よりも前方に、上部プレート３１ａの前後方向に第一係止孔５０と同じ一定間隔を空けて、各列の第一係止孔５０と同数（本実施形態では３個）の第二係止孔（挿入孔）６０ａ，６０ｂ，６０ｃが形成されている。この第二係止孔６０ａ，６０ｂ，６０ｃは、上部プレート３１ａの幅方向両端部にそれぞれ形成されている。ここで、第二係止孔６０ａ，６０ｂ，６０ｃは、第一係止孔５０ａ、５０ｂ、５０ｃとは棚板３０の幅方向にオフセットした位置に形成されている。これは、第一係止孔５０ａ、５０ｂ、５０ｃ、第二係止孔６０ａ，６０ｂ，６０ｃの数を増やしたときに、これらが互いに干渉しないようにするためである。
以下の説明において、第二係止孔６０ａ，６０ｂ，６０ｃを互いに区別する場合を除き、これらを単に第二係止孔６０と称することがある。
【００２５】
ここで、第二係止孔６０は、例えば矩形で、各第二係止孔６０の前方側の端部には、その幅方向の中央部に、後方に向けて突出する矩形の舌片６１が形成されている。
【００２６】
図７、図８（ａ）に示すように、延長棚板４０は、金属板を折り曲げ加工することによって形成されたもので、平面視矩形の延長棚板本体４１と、延長棚板本体４１の前縁部に設けられた補強材４２と、を有している。
【００２７】
延長棚板本体４１は、物品載置面を形成する平板状の上部プレート４１ａと、上部プレート４１ａの幅方向両側と前端側で下方に垂下したサイドプレート４１ｂ、フロントプレート４１ｃと、を備えている。
【００２８】
図８（ｂ）に示すように、補強材４２は、延長棚板本体４１の上部プレート４１ａの前端部の下面側に、溶接等の接合手段により取り付けられたベース部４２ａと、ベース部４２ａから下方に延びる垂下部４２ｂと、垂下部４２ｂの下端から水平方向前方に延び、フロントプレート４１ｃよりも前方に延びる水平部４２ｃと、水平部４２ｃの前端部から鉛直上方に立ち上がる立ち上がり壁部４２ｄと、を備えている。立ち上がり壁部４２ｄは、延長棚板本体４１のフロントプレート４１ｃに対して所定間隔を空けて対向配置され、これらの隙間Ｓに値札等を差し込めるようになっている。
【００２９】
図７、図８（ａ）に示すように、延長棚板本体４１の後端部には、幅方向複数個所に、前述した第一係止孔５０に差し込むことによって係止可能な差し込み片（被係止部材）７０が形成されている。この差し込み片７０は、延長棚板本体４１の幅方向に第一係止孔５０の各列間と同じ間隔を空けて、第一係止孔５０の列数と同じ数が形成されている。
各差し込み片７０は、延長棚板本体４１の後端部から下方に向けて延びる垂下部７１と、垂下部７１の下端から後方に向けて延びるプレート部７２と、を有している。ここで、図９（ｃ）に示すように、差し込み片７０は、第一係止孔５０に挿入されて上部プレート４１ａが棚板３０の上部プレート３１ａ上に重ねられたときに、プレート部７２が上部プレート４１ａの下面に沿うよう形成されている。
【００３０】
図８（ａ）、（ｃ）、（ｄ）に示すように、延長棚板本体４１の前後方向中間部には、その下面に、跳ね上がり防止金具８０が設けられている。
跳ね上がり防止金具８０は、延長棚板本体４１の上部プレート４１ａの下面に溶接等の接合手段によって接合されたベース部８１と、ベース部８１の後端部から鉛直下方に折り曲げられた垂下片（挿入片）８２と、垂下片８２に形成された貫通孔（拘束部）８３と、を有する。
図９（ｂ）に示すように、この跳ね上がり防止金具８０は、舌片６１の後方側で第二係止孔６０に挿入され、さらに、図９（ｃ）に示すように、前方にスライドされることによって、舌片６１が、垂下片８２の貫通孔８３に挿入されるようになっている。
【００３１】
上記したような延長棚板４０を棚板３０に取り付けるには、まず、図９（ａ）に示すように、棚板３０に前後方向に間隔を空けて形成された第一係止孔５０ａ，５０ｂ，５０ｃのうち、任意の一つを選択し、これに延長棚板４０の後端部の差し込み片７０を差し込む。以下の説明においては、後端部側の第一係止孔５０ａを選択した場合を例に挙げて説明を行う。
このとき、延長棚板４０は、差し込み片７０が形成された後端部側が下方に位置するとともに、前端部側が上方に位置するようにして、斜め上方から差し込み片７０を第一係止孔５０ａに挿入する。
【００３２】
差し込み片７０のプレート部７２が第一係止孔５０ａを貫通して上部プレート４１ａの下方に入り込んだら、延長棚板４０を、差し込み片７０を中心として回動させるようにして、前端部側を下降させる。
【００３３】
そして、図９（ｂ）に示すように、延長棚板４０の延長棚板本体４１の中間部に設けられた跳ね上がり防止金具８０の垂下片８２を、第二係止孔６０ａに対し、舌片６１の後方側に挿入する。
【００３４】
延長棚板本体４１の下面が棚板３０の上部プレート３１ａに突き当たったら、続いて、図９（ｃ）に示すように、延長棚板４０を、棚板３０に対し前方にスライドさせる。すると、跳ね上がり防止金具８０の垂下片８２に形成された貫通孔８３内に舌片６１が挿入される。
これにより、延長棚板４０の棚板３０への取付が完了し、棚板３０のみからなる場合に比較して、棚板３０と延長棚板４０とからなる棚の前後方向の長さを延長することができる。
【００３５】
この状態で、延長棚板４０の後端部においては、差し込み片７０のプレート部７２の上面が上部プレート４１ａの下面に突き当たり、これによって、延長棚板４０の後端部側の上方向への移動が拘束される。
さらに、舌片６１が垂下片８２の貫通孔８３に挿入されることによって、延長棚板４０の前端側が棚板３０から離間する上方向への移動、すなわち上方向への跳ね上がりが拘束される。
また、差し込み片７０よりも前方において、延長棚板４０の上部プレート４１ａが棚板３０の上部プレート３１ａの上面に突き当たることで保持されている。
これにより、延長棚板４０は安定的に棚板３０に取付・保持されている。
【００３６】
なお、延長棚板４０を棚板３０から取り出すには、延長棚板４０を後方に押し込み、舌片６１を垂下片８２の貫通孔８３から抜く（図９（ｂ）に示した状態）。この状態で、延長棚板４０の前端部を上方に引き上げ（図９（ａ）に示した状態）、垂下片８２を第二係止孔６０ａから抜いた後、延長棚板４０を斜め上方に引き抜くことにより、差し込み片７０を第一係止孔５０ａから抜去する。
【００３７】
上記では、延長棚板４０の後端部の差し込み片７０を、後端部側の第一係止孔５０ａに差し込むことによって、棚板３０を延長棚板４０によって延長する例を示した。これ以外にも、延長棚板４０の後端部の差し込み片７０を第二係止孔５０ｂに差し込むとともに、跳ね上がり防止金具８０の垂下片８２を、第二係止孔６０ｂに差し込んでも良いし、また、延長棚板４０の後端部の差し込み片７０を第二係止孔５０ｃに差し込み、跳ね上がり防止金具８０の垂下片８２を、第二係止孔６０ｃに差し込んでもよい。これらの場合においても、同様に、棚板３０を延長棚板４０によって延長することができる。このとき、延長棚板４０と棚板３０とからなる棚の前後方向の長さは、延長棚板４０の後端部の差し込み片７０を第一係止孔５０ａに差し込んだ場合が最も短く、第一係止孔５０ｃに差し込んだ場合が最も長くなる。
【００３８】
上述したような構成によれば、棚板３０に、前後方向に間隔を空けて複数の第一係止孔５０ａ，５０ｂ，５０ｃが形成され、延長棚板４０の後端部に設けられた差し込み片７０を、これら第一係止孔５０ａ，５０ｂ，５０ｃから選択した任意の一つに挿入することにより、棚板３０を延長棚板４０によって前方に延長することができる。これにより、図２に示したように、棚板３０を延長棚板４０に取り付けたときの、延長棚板４０と棚板３０とからなる棚の前後方向の長さを複数段階に設定することができ、棚板のレイアウト変更の自由度を高めることができる。
また、延長棚板４０による前方への延長寸法が異なる場合であっても、複数種の延長棚板４０を用意する必要がなく、１種類の延長棚板４０で対応ができるので、部品管理の容易化、低コスト化を図ることができる。
【００３９】
また、延長棚板４０の後端部だけでなく、その前方に設けた跳ね上がり防止金具８０を第二係止孔６０ａ，６０ｂ，６０ｃの一つに挿入することによって、延長棚板４０の棚板３０に対する前方への移動を規制することができる。
さらに、跳ね上がり防止金具８０に形成された貫通孔８３に、第二係止孔６０ａ，６０ｂ，６０ｃの舌片６１を挿入することにより、延長棚板４０の前端部側が上方に跳ね上げられるのを防ぐことができる。その結果、不用意に差し込み片７０が抜けてしまうのも防ぐことができ、延長棚板４０を棚板３０に確実に取り付けることが可能となっている。
【００４０】
（その他の実施形態）
なお、本発明の棚板システムは、図面を参照して説明した上述の各実施形態に限定されるものではなく、その技術的範囲において様々な変形例が考えられる。
例えば、第一係止孔５０ａ，５０ｂ，５０ｃ、第二係止孔６０ａ，６０ｂ，６０ｃの位置、数、形状、構成等については、上記に例示したものに何ら限るものではない。
また、例えば、互いに隣接する支柱１２，１２の前面１２ｆ，１２ｆに棚板３０を設ける構成としたが、支柱１２，１２の後面側にも同様に棚板３０を設けることが可能である。
さらに、ベース脚１１と、支柱１２，１２、背面板１３、ベース棚１４等からなる物品陳列棚１０の構成は、上記に示したものに何ら限るものではなく、一段以上の棚板３０を支持することができるのであれば、他のいかなる構成であっても良い。
これ以外にも、本発明の主旨を逸脱しない限り、上記実施の形態で挙げた構成を取捨選択したり、他の構成に適宜変更することが可能である。
【符号の説明】
【００４１】
１０  物品陳列棚
１２  支柱
１３  背面板
１４  ベース棚
１６  係止孔
３０  棚板
３１  棚板本体
３１ａ      上部プレート
３２  サポートブラケット
３３  係止フック
４０  延長棚板
４１  延長棚板本体
４１ａ      上部プレート
４２  補強材
５０  第一係止孔（係止孔）
６０  第二係止孔（挿入孔）
６１  舌片（拘束部）
７０  差し込み片（被係止部材）
７１  垂下部
７２  プレート部
８０  跳ね上がり防止金具
８１  ベース部
８２  垂下片（挿入片）
８３  貫通孔（拘束部）
【図１】
2013244375.tif 000003
【図２】
2013244375.tif 000004
【図３】
2013244375.tif 000005
【図４】
2013244375.tif 000006
【図５】
2013244375.tif 000007
【図７】
2013244375.tif 000008
【図９】
2013244375.tif 000009
【図６】
2013244375.tif 000010
【図８】
2013244375.tif 000011